(57)【要約】本発明は、供給電圧を受け取って一定の出力電圧を生成する定電圧制御回路と、制御電圧を受け取り、それに依存して、出力電圧の変化を引き起こす制御電流を生成する電流シンク段と、下側及び上側の限界電圧を受け取って電流シンク段を選択的に遮断又は接続するリミッタ段とを備えている、出力特性曲線を生成するためのスイッチング回路に関する。本発明は、これに対応する出力特性曲線を生成する方法も対象としている。
2005521128.tif 000002
【特許請求の範囲】
【請求項１】
出力特性曲線を生成するためのスイッチング回路であって、
供給電圧（Ｖｓｕｐｐｌｙ）を受け取って一定の出力電圧（Ｖｏｕｔ）を生成する定電圧制御回路（１）と、
制御電圧（Ｖｃｏｎｔｒｏｌ）を受け取り、それに依存して、前記出力電圧（Ｖｏｕｔ）の変化を引き起こす制御電流（ＩＣ）を生成する電流シンク段（２）と、
下側及び上側の限界電圧（ＶＬｉｍｉｔ１、ＶＬｉｍｉｔ２）を受け取って前記電流シンク段（２）を選択的に遮断又は接続するリミッタ段（３）と、
を備えていることを特徴とするスイッチング回路。
【請求項２】
前記定電圧制御回路（１）は、プログラミング可能な基準電圧生成器（１０）を有しており、その出力電圧（Ｖｏｕｔ）は、分圧器（１２）を介して調整可能であることを特徴とする請求項１に記載のスイッチング回路。
【請求項３】
前記分圧器（１２）は、２個の抵抗器（１３、１４）を備えた第１の抵抗段と、１個の抵抗器（１５）を備えた第２の抵抗段とを含んでいることを特徴とする請求項２に記載のスイッチング回路。
【請求項４】
前記電流シンク段（２）は、前記第１の抵抗段の２個の抵抗器のうちの一方（１３）に直列に接続された抵抗器（２３）を有しており、それによって前記制御電流（ＩＣ）は、前記電流シンク段の前記抵抗器（２３）と、前記第１の抵抗段の２個の抵抗器のうちの前記一方（１３）とを通って流れて、前記制御電流（ＩＣ）に比例する電圧（ＩＣ．Ｒ１）を出力電圧（Ｖｏｕｔ）に重ね合わせることを特徴とする請求項３に記載のスイッチング回路。
【請求項５】
前記電流シンク段（２）は、前記制御電流（ＩＣ）を選択的に解放又は遮断する第１の電子切換素子（２２）を有していることを特徴とする請求項１乃至４のいずれか一項に記載のスイッチング回路。
【請求項６】
前記リミッタ段（３）は、下側及び上側の限界電圧（ＶＬｉｍｉｔ１、ＶＬｉｍｉｔ２）並びに制御電圧（Ｖｃｏｎｔｒｏｌ）を受け取って比較器出力信号を生成する比較器（３０、３１）を有していることを特徴とする請求項１乃至５のいずれか一項に記載のスイッチング回路。
【請求項７】
前記リミッタ段（３）は、前記比較器出力信号に依存して前記電流シンク段（２）を遮断又は接続するとともに、前記出力電圧（Ｖｏｕｔ）の電圧降下を発生させるバイパス回路（３２、３３）を選択的に活性化させることを特徴とする請求項６に記載のスイッチング回路。
【請求項８】
前記リミッタ段（３）の前記比較器出力信号は、前記制御電流（ＩＣ）を解放又は遮断するために、前記電流シンク段（２）の第１の電子切換素子（２２）に接続されていることを特徴とする請求項７に記載のスイッチング回路。
【請求項９】
前記比較器出力信号は、ダイオード（３４）を介して前記第１の電子切換素子（２２）に接続されていることを特徴とする請求項８に記載のスイッチング回路。
【請求項１０】
前記制御電圧（Ｖｃｏｎｔｒｏｌ）が前記下側の限界電圧（ＶＬｉｍｉｔ１）よりも低いとき又は前記上側の限界電圧（ＶＬｉｍｉｔ２）よりも高いときに、前記第１の電子切換素子（２２）は、前記制御電流（ＩＣ）を遮断し、それ以外の場合にはこれを解放することを特徴とする請求項８又は９に記載のスイッチング回路。
【請求項１１】
前記リミッタ段（３）は、前記比較器出力信号を受け取って前記バイパス回路（３２、３３）を選択的に接続又は遮断する第２の電子切換素子（３２）を有していることを特徴とする請求項１乃至１０のうちいずれか一項に記載のスイッチング回路。
【請求項１２】
バイパス回路（３２、３３）は、第２の電子切換素子（３２）を介して前記第１の抵抗段の２個の抵抗器のうちの一方（１３）に並列に接続された抵抗器（３３）を有していることを特徴とする請求項３又は１１に記載のスイッチング回路。
【請求項１３】
前記制御電圧（Ｖｃｏｎｔｒｏｌ）が前記下側の限界電圧（ＶＬｉｍｉｔ１）よりも低いとき又は前記上側の限界電圧（ＶＬｉｍｉｔ２）よりも高いときに、前記第２の電子切換素子（３２）は、前記バイパス回路（３２、３３）を接続し、それ以外の場合にはこれを遮断することを特徴とする請求項１１又は１２に記載のスイッチング回路。
【請求項１４】
出力特性曲線を生成する方法において、
供給電圧及び基準電圧に依存して一定の出力電圧を生成し、
制御電圧に依存して制御電流を生成し、前記制御電流に依存して前記出力電圧を変化させ、
前記制御電圧が下側の限界電圧と上側の限界電圧との間の区間の範囲内にあるか範囲外にあるかに依存して、前記制御電流を選択的に遮断又は解放する、
各方法ステップを備えていることを特徴とする方法。
【発明の詳細な説明】
【技術分野】
【０００１】
本発明は、調整可能な出力特性曲線を生成するためのスイッチング回路に関し、特に、定電圧制御回路を用いて可変な出力電圧を生成するためのスイッチング回路に関する。
【背景技術】
【０００２】
従来の技術においては、プログラミング可能又は調整可能な精密参照電圧生成器が公知であり、例えば、米国ミズーリ州セントルイスのエマソン・エレクトリック・カンパニー（Emerson Electric Company）の一部門であるＡＳＴＥＣセミコンダクター（ASTEC Semiconductor）のＡＳ２４３１等が公知である。プログラミング可能な参照電圧生成器は、供給電圧の変動にほぼ関わりなく、調整可能な一定の出力電圧を供給し、このような参照電圧生成器は低い温度係数、正確なターンオン特性、及び、低い出力インピーダンスを有しているのが好ましい。所望の入力電圧を得るために、参照電圧生成器は、外部構成部品、特に抵抗器と配線されている。プログラミング可能な参照電圧生成器の一例を図１に示す。
【０００３】
図１に示すプログラミング可能な参照電圧生成器Ｕは、直列抵抗器ＲＶを介して供給電圧源ＶＳＵＰＰＬＹに接続されている。２個の抵抗器ＲＢ１、ＲＢ２からなるブリッジ回路が、参照電圧生成器Ｕに並列に接続されている。２個の抵抗器ＲＢ１、ＲＢ２からなるブリッジ回路は、これらの抵抗器によって調整可能な所定の参照電圧ＶＲＥＦを生成し、この参照電圧が参照電圧生成器Ｕの参照入力部に印加され、その結果、その陰極又は出力部には非常に正確かつ安定した一定の出力電圧ＶＯＵＴが生成される。
【０００４】
多くの用途には、安定した一定の出力電圧が望まれるが、その一方では、プログラミング可能又は調整可能な上昇又は降下する電圧特性曲線が必要とされる別の用途もある。例えば、遠隔通信設備への電力供給において必要とされる電圧特性曲線の一例を図２に示す。図２に示す出力特性曲線は、制御電圧Ｖｃｏｎｔｒｏｌが増加するにつれて、基本的に恒常的かつ単調に上昇している（図２の実線参照）。これに加えて、下側の限界電圧ＶＬｉｍｉｔ１を下回る、又は、上側の限界電圧ＶＬｉｍｉｔ２を上回る制御電圧値Ｖｃｏｎｔｒｏｌに対する出力特性曲線Ｖｏｕｔが切り取られて、所定の低い出力電圧値に制限されることが意図され得る。このことは結果的に、下側の限界電圧ＶＬｉｍｉｔ１までは一定の低い値を取り、ＶＬｉｍｉｔ１を超えると所定の高い値まで上昇し、下側及び上側の限界電圧ＶＬｉｍｉｔ１乃至ＶＬｉｍｉｔ２の間では恒常的に単調増加し、制御電圧Ｖｃｏｎｔｒｏｌが上側の限界電圧ＶＬｉｍｉｔ２を超えると、制御電圧Ｖｃｏｎｔｒｏｌのターンオン時における一定の低い出力値と等しいか又は異なっていてよい一定の低い値まで再び降下する出力電圧Ｖｏｕｔにつながる。このような特性曲線は、例えば、特に、遠隔通信システムにおいてバッテリを充電するための電源部に利用することができる。図２の特性曲線は、調整可能な出力電圧特性曲線の一例にすぎず、電子産業のあらゆる分野において、様々な調整可能な出力電圧特性曲線に対する数多くの用途があることを指摘しておく。
【発明の開示】
【発明が解決しようとする課題】
【０００５】
従って、本発明の課題は、定電圧生成器を前提とした上で、調整可能で非常に正確な出力特性曲線を生成する装置及び方法を提供することである。この出力特性曲線は、電源部やバッテリ充電装置等に適しており、さらに、特殊な場合には遠隔通信設備での用途に特に適しているのが望ましい。
【課題を解決するための手段】
【０００６】
上述の課題は、請求項１の構成要件を備えるスイッチング回路によって解決され、及び、請求項１４の構成要件を備える方法によって解決される。
【０００７】
本発明によれば、供給電圧を受け取って一定の出力電圧を生成する、出力特性曲線を生成するためのスイッチング回路が設けられる。この定電圧制御回路は、基本的に、図１のプログラミング可能な参照電圧生成器に相当していてよい。これに加えて、本発明は、制御電圧を受け取り、それに依存して、特に出力電圧の単調かつ恒常的な上昇又は降下を引き起こすために出力電圧の変化を引き起こす制御電流を生成する電流シンク段と、定電圧制御回路とを接続することを意図している。さらに、本発明は、下側又は上側の限界電圧を受け取り、それに依存して電流シンク段を選択的に遮断又は接続することができる、電流シンク段に接続されたリミッタ段を意図している。従って、リミッタ段は、電流シンク段による定電圧制御回路の出力電圧に及ぼす影響を、選択的にオンオフすることを可能にする。
【０００８】
本発明は、所定の調整可能な出力特性曲線を高精度及び安定性を以て生成するために、大幅に集積化可能であり低コストに具現化可能な、設計や回路技術の観点から簡単な解決法を提供する。本発明は、決まった一定の出力電圧を生成する安定したプログラミング可能な参照電圧生成器を使用し、出力電圧特性曲線を調整可能に構成するために可変な電流シンク段を付加し、出力特性曲線に及ぼすさらなる影響、特に出力特性曲線の切り取りを実現するためにリミッタを付加することによって、上記の解決を実現する。本発明によるスイッチング回路の供給電圧は、例えば２０％の範囲内において著しく変動する可能性があるのに対して、本発明では、使用する構成部品の精度に応じて、±０．１％乃至５％の精度を以て出力特性曲線を実現することができる。
【０００９】
本発明によれば、分圧器を介して出力電圧を調整可能であるプログラミング可能な基準電圧生成器が、定電圧制御回路において使用されるのが好ましい。基準電圧生成器としては、例えば上に挙げたＡＳＴＥＣセミコンダクターの分路調整器ＡＳ２４３１や、これに相当する構成部品、例えばアルファ・セミコンダクター（Alpha Semiconductor）やテキサス・インスツルメンツ（Texas Instruments）の構成部品を使用することができる。当然ながら、本発明は特定のデバイスに限定されるものではない。
【００１０】
本発明に係る定電圧制御回路では、分圧器は、さらに詳細に後述するように、調整可能な出力特性曲線に対して格別に簡単に影響を及ぼすことができるようにするために、２個の抵抗器を備えている第１の抵抗段と、１個の抵抗器を備えている第２の抵抗段とに分割されるのが好ましい。
【００１１】
有利な実施の形態においては、電流シンク段は、第１の抵抗段の２個の抵抗器のうちの一方に直列に接続された抵抗器を有しており、それにより、電流シンク段の制御電流は、この両方の直列に接続された抵抗器を通って流れて、制御電流に比例する電圧を出力電圧に重ね合わせる。このことは、電流シンク段の構成に応じて、出力電圧の増加又は減少につながる。
【００１２】
電流シンク段は、制御電流を選択的に解放又は遮断するために、電流シンク段に含まれる第１の切換素子を介して活性化されるのが好ましい。この切換素子は、リミッタ段を介して活性化されるのが好ましい。
【００１３】
そのためにリミッタ段は、有利な実施の形態においては、下側及び上側の限界電圧や制御電圧を受け取って比較器出力信号を生成する比較器を有していてよい。この比較器出力信号が、第１の切換素子を介して、電流シンク段を活性化又は不活性化させる。これに加えてリミッタ段は、同じく比較器出力信号に依存して接続又は遮断されるバイパス回路を含んでいてよい。
【００１４】
リミッタ段は、制御電圧が下側の限界電圧よりも低いとき又は上側の限界電圧よりも高いときに電流シンク段を不活性化し、それ以外の場合にはこれを接続するように構成されるのが好ましい。さらに、リミッタ段は、同じく比較器出力信号を受け取ってバイパス回路を選択的に接続又は遮断する第２の切換素子を有していてよい。バイパス回路は、格別に有利な実施の形態においては、定電圧制御回路の分圧器の第１の抵抗段の２個の抵抗器のうちの一方に並列に接続された抵抗器を有している。バイパス回路は、制御電圧が下側の限界電圧よりも低いとき又は上側の限界電圧よりも高いときに活性化され、それ以外の場合には遮断される。それにより、下側の限界電圧と上側の限界電圧との間の区間の範囲外にある制御電圧については、スイッチング回路の出力特性曲線を所定の一定の電圧値まで低下させることができる。当然ながら、例えば、バイパス回路の並列回路の代わりに直列回路を設けることによってリミッタ・スイッチング回路を相応に改良すれば、スイッチング回路の出力電圧を所定の一定の値まで上昇させることも可能である。
【００１５】
本発明は、次の各方法ステップ、即ち、供給電圧及び基準電圧に依存して一定の出力電圧を生成し、制御電圧に依存して制御電流を生成し、その制御電流に依存して出力電圧を変化させ、制御電圧が下側の限界電圧と上側の限界電圧との間の区間の範囲内にあるか範囲外にあるかに依存して、制御電流を選択的に解放又は遮断することを備えている、出力特性曲線を生成する方法も意図している。
【発明を実施するための最良の形態】
【００１６】
次に、図面を参照しながら有利な実施の形態を用いて本発明について詳細に説明する。以下の説明を精読して図面を見ると、特に図２に示す特性曲線とは異なる特性曲線を生成するために、本発明の範囲を逸脱することなく、図示しているスイッチング回路に関して数多くの改変を行うことができることが、当業者には容易に認識できる。
【００１７】
図３は、図２に示す出力特性曲線を生成するためのスイッチング回路の有利な実施の形態を示している。このスイッチング回路は、基本的に、定電圧制御回路１と、電流シンク段２と、リミッタ段３との三つの部分により構成されている。
【００１８】
定電圧制御回路１は、図１に示すプログラミング可能な参照電圧生成器と類似した構成となっている。定電圧制御回路１は、直列抵抗器１１，Ｒ４を介して供給電圧Ｖｓｕｐｐｌｙに接続された基準電圧生成器１０，Ｕ２を有している。２個の抵抗器１３，Ｒ１及び１４，Ｒ２を備えている第１の抵抗段と、１個の抵抗器１５，Ｒ３を備えている第２の抵抗段とを有する分圧器１２が、基準電圧生成器１０に並列に接続されている。実施においては、プログラミング可能な分路調節器とも称される基準電圧生成器１０は、その出力部又は陰極Ｋにおいて、基準電位生成器Ｕ２の制御入力部Ｃにおける基準電圧Ｖｒｅｆに依存する、非常に正確かつ安定した一定の出力電圧Ｖｏｕｔを生成する。基準電圧Ｖｒｅｆは、分圧器１２によって調整されるとともに、特に、第１の抵抗段１３、１４と第２の抵抗段１５との比率によって調整される。電流シンク段２及びリミッタ段３を考慮しない定電圧制御回路１だけの出力電圧Ｖｏｕｔは、抵抗器１５，Ｒ３を流れる電流Ｉ３に依存して次式に従う。  
Ｖｏｕｔ＝Ｉ３＊（Ｒ１＋Ｒ２＋Ｒ３）
このように、定電圧制御回路１は、上に定義した一定の出力電圧Ｖｏｕｔを生成する。
【００１９】
この出力電圧を前提としたうえで、上昇又は降下する調整可能な出力特性曲線を生成するために、定電圧制御回路１に電流シンク段２が付加される。電流シンク段２は、演算増幅器２０，Ｕ１を含んでおり、その出力部は、ベース抵抗器２１，ＲＢを介して電子切換素子２２，Ｑ１の制御入力部Ｂに接続されている。電子切換素子２２は、例えば、バイポーラｎｐｎトランジスタとして又は電界効果トランジスタとして具現化されていてよい。電子切換素子２２は、電流シンク抵抗器２３，Ｒ４に直列に接続されており、その直列回路２２、２３は、定電圧制御回路１の分圧器１２の抵抗器１４、１５に並列に接続されている。演算増幅器２０は、その（＋）入力部において制御電圧Ｖｃｏｎｔｒｏｌを受け取り、他方の（−）入力部は、電子切換素子２２と抵抗器２３との間の接続点に接続されている。
【００２０】
制御電圧Ｖｃｏｎｔｒｏｌが演算増幅器（２０）の（＋）入力部に印加されると、直ちに演算増幅器は出力信号を生成し、その出力信号が、ベース抵抗器２１を介して、電子切換素子２２の制御入力部Ｂに印加される。それによって電子切換素子２２が接続され、図３に示すように、制御電流ＩＣが電子切換素子２２及び電流シンク抵抗器２３を通って流れる。基準電圧生成器１０の制御入力部Ｃにおける基準電位Ｖｒｅｆは常に一定なので、抵抗器１５，Ｒ３及びそれに伴って抵抗器１４，Ｒ２を通る電流Ｉ３も、一定のままである。従って、制御電流ＩＣは、抵抗器１３，Ｒ１を通って定電圧制御回路１から引き出されざるを得ない。こうして制御電流ＩＣは、制御電圧Ｖｃｏｎｔｒｏｌに比例する、抵抗器１３，Ｒ１における追加的な電圧降下を引き起こす。この追加的な電圧降下が出力電圧Ｖｏｕｔと重なり合い、図２に実線により示すような、制御電圧Ｖｃｏｎｔｒｏｌに依存する出力電圧特性曲線を生成する。出力電圧Ｖｏｕｔは、定電圧制御回路１と電流シンク段２とを考慮すると、次式
Ｖｏｕｔ＝（Ｉ３＋ＩＣ）＊Ｒ１＋Ｉ３＊（Ｒ２＋Ｒ３）  
によって得られ、このときＩ３＊（Ｒ１＋Ｒ２＋Ｒ３）は一定であり、ＩＣは制御電圧Ｖｃｏｎｔｒｏｌに依存して可変である。
【００２１】
抵抗器２３が抵抗器１３と同じ抵抗値に作られているとすると（Ｒ４＝Ｒ１）、抵抗器２３，Ｒ４では、出力特性曲線Ｖｏｕｔの電圧上昇と等しい電圧降下Ｒ４＊ＩＣが生じる。図示した実施の形態においては、出力特性曲線Ｖｏｕｔを調整することができる精度は、制御電圧Ｖｃｏｎｔｒｏｌの精度に対応している。演算増幅器２０及びベース抵抗器２１は、特に制御電圧Ｖｃｏｎｔｒｏｌを減結合する役目を果たしており、当業者であれば、電流シンク段の配線について他の適当な実施の形態を構想することができる。
【００２２】
図２に実線により図示している特性曲線をさらに改善するため、特に、図２に破線により示すように特性曲線を切り取るために、定電圧制御回路１及び電流シンク段２に、図３に示すリミッタ段３が付加される。リミッタ段３は、比較器として動作する２個の演算増幅器３０，Ｕ３及び３１，Ｕ４と、別の電子切換素子３２，Ｑ２と、バイパス抵抗器３３，Ｒ５と、ダイオード３４，Ｄ１とを含んでいる。両方の演算増幅器３０、３１は、下側の限界電圧ＶＬｉｍｉｔ１乃至上側の限界電圧ＶＬｉｍｉｔ２を負（−）又は正（＋）の入力部において受け取るとともに、制御電圧Ｖｃｏｎｔｒｏｌをそれぞれ他方の（±）入力部において受け取る。両方の演算増幅器３０、３１の出力部は、電子切換素子３２の制御入力部Ｂへと通じている。電子切換素子３２は、例えばバイポーラトランジスタ、特にｐｎｐトランジスタとして又は電界効果トランジスタ等として構成されていてよい。電子切換素子３２は、バイパス抵抗器３３とともに、定電圧制御回路１の分圧器１２の抵抗器１３に並列に接続されたバイパス回路を形成している。ダイオード３４は、図３に示すように、第１及び第２の電子切換素子２２、３２の制御入力部Ｂを接続し、リミッタ段の第２の電子切換素子３２が活性化されると、電流シンク段２の第１の電子切換素子２２が遮断されるようにする。
【００２３】
リミッタ段３は、次のように動作する。
【００２４】
制御電圧Ｖｃｏｎｔｒｏｌが、下側及び上側の限界電圧ＶＬｉｍｉｔ１、ＶＬｉｍｉｔ２の間の区間内にあるとき、即ち、  
ＶＬｉｍｉｔ１＜Ｖｃｏｎｔｒｏｌ＜ＶＬｉｍｉｔ２ 
のときは、正の電圧差が演算増幅器３０、３１の入力部に印加されるので、これらの演算増幅器の出力部は高抵抗になり、これは正の信号レベル（１）に相当している。この信号が、電子切換素子３２の制御入力部Ｂに印加されるので、電子切換素子３２，Ｑ２、即ち、図示した実施の形態においてはｐｎｐトランジスタは遮断され、従って、リミッタ段３は活性化状態ではない。即ち、バイパス抵抗器３３は不活性化され、リミッタ段３は電流シンク段２に対して何ら影響を及ぼさない。
【００２５】
もしも、  
Ｖｃｏｎｔｒｏｌ＜ＶＬｉｍｉｔ１ 
になると、負の電圧差が演算増幅器３０の入力部に印加されるので、演算増幅器３０の出力部は低抵抗になり、従って、低い電圧レベル（０）へと移行する。この低い電圧レベル（０）が、電子切換素子３２の制御入力部Ｂ、即ち、図示した実施の形態においてはｐｎｐトランジスタに印加され、これが導通状態になる。それにより、第２の電子切換素子３２及びバイパス抵抗器３３，Ｒ５を含む、抵抗器１３，Ｒ１に並列に接続された分岐路に電流が流れ、このとき、当業者であれば理解できるように、抵抗器１３、３３からなる並列回路の総抵抗値は、抵抗器１３単独の抵抗値Ｒ１よりも小さいので、出力電圧Ｖｏｕｔは全体として低い値に降下する。
【００２６】
それと同時に、電流シンク段２は、ダイオード３４及び第１の電子切換素子２２を介して遮断又は不活性化されるので、電流（ＩＣ）はもはや電子切換素子２２及び電流シンク抵抗器２３を通って流れない。従って、図２に破線により示すように、電気回路の出力部においては、一定の低い電流レベルＶｏｕｔが印加される。  
Ｖｏｕｔ＝Ｉ３＊（Ｒ１／／Ｒ５＋Ｒ２＋Ｒ３）
スイッチング回路のこれに類似の挙動は、次式に対しても得られる。  
Ｖｃｏｎｔｒｏｌ＞ＶＬｉｍｉｔ２
この場合、演算増幅器３１，Ｕ４の入力部には負の電圧差が印加され、その電圧差は、演算増幅器３１の出力部が低抵抗になり、低い電圧レベル（０）へと移行することにつながる。それによって、やはり電子切換素子３２が導通状態になるので、上述したように、バイパス抵抗３３が接続され、電流シンク段１はダイオード３４を介して遮断される。
【００２７】
リミッタ・スイッチング回路２の本発明に基づく構成により、特定の限界値になると特定の電圧値へと飛躍するスイッチング回路全体の出力電圧特性曲線を設定することができ、このときの電圧値は、一方では抵抗器１３，Ｒ１及び３３，Ｒ５の並列回路によって規定され、並びに、他方では抵抗器１３，Ｒ１及び２３，Ｒ４によって規定される。図２の破線は、本発明に係るスイッチング回路の部分１、２、３が総て動作した場合の完全な出力特性曲線を示している。このような特性曲線は、例えば、遠隔通信の用途におけるバッテリ充電装置について典型的なものである。
【００２８】
以上の説明、特許請求の範囲及び図面に開示されている構成要件は、単独でも任意の組み合せの形態でも、本発明を様々な実施の形態において具現化するために有意義であり得る。
【図面の簡単な説明】
【００２９】
【図１】従来の技術に基づいて配線されたプログラミング可能な参照電圧生成器の回路図である。
【図２】本発明に基づくスイッチング回路の出力特性曲線である。
【図３】本発明に基づく、出力特性曲線を生成するためのスイッチング回路の回路図である。
【符号の説明】
【００３０】
１  定電圧制御回路
２  電流シンク段
３  リミッタ段
１０  基準電圧生成器Ｕ２
１１  抵抗器Ｒ４
１２  分圧器
１３  抵抗器Ｒ１
１４  抵抗器Ｒ２
１５  抵抗器Ｒ３
２０  演算増幅器Ｕ１
２１  ベース抵抗器ＲＢ
２２  電子切換素子Ｑ１
２３  電流シンク抵抗器Ｒ４
３０  演算増幅器、比較器Ｕ３
３１  演算増幅器、比較器Ｕ４
３２  電子切換素子Ｑ２
３３  バイパス抵抗器Ｒ５
３４  ダイオードＤ１
【図１】
2005521128.tif 000003
【図２】
2005521128.tif 000004
【図３】
2005521128.tif 000005
【国際調査報告】
2005521128.tif 000006
2005521128.tif 000007
2005521128.tif 000008
2005521128.tif 000009
2005521128.tif 000010
2005521128.tif 000011